(57)【特許請求の範囲】
【請求項１】
独立気泡のプラスチックマットの両面に感圧型接着剤層を形成した感圧型接着シートの片面に黒色系のプラスチック板を介して白色系のプラスチック板を接着し、レーザー彫込み機で白色系のプラスチック板を彫り込んで、裏面の黒色系のプラスチック板を露出させ、文字を形成すると共に、この白色系のプラスチック板の表面に、境界杭の番号や位置情報などの境界杭に固有の情報を記録した管理データーをレーザー焼付加工により形成したドット状の明暗模様による二次元デジタルデーターコードで表示した表示面を形成したことを特徴とする境界杭用位置表示プレート。
【請求項２】
請求項１の境界杭用位置表示プレートを前面に取付けた境界杭を、土地の境界に沿って複数個設置し、この境界杭の上面に取付ける方向指示板において、この方向指示板は、独立気泡のプラスチックマットの両面に感圧型接着剤層を形成した感圧型接着シートの片面に黒色系のプラスチック板を介して白色系のプラスチック板を接着し、レーザー彫込み機で白色系のプラスチック板を彫り込んで、裏面の黒色系のプラスチック板を露出させて、境界杭の番号と左右に隣接する境界杭の方向を示す方向指示線を形成したことを特徴とする方向指示板。
【発明の詳細な説明】
【０００１】
【発明の属する技術分野】
本発明は境界杭の明示標識板として使用する境界杭用位置表示プレートおよび方向指示板に関するものである。
【０００２】
【従来の技術】
一般に発電所の調整用用地、発電所や変電所の敷地、送電用鉄塔の敷地などの境界には、図７に示すようにコンクリート製の境界杭１が埋設され、この上部に明示標識板２が取付けられている。この従来の明示標識板２は白色のプラスチック板３をコンクリートボンドで接着して取付け、このプラスチック板３には管理番号４が彫刻されたり手書きして表示されている。
【０００３】
しかしながら境界杭１が山の中に埋設されている場所では草で覆われて見えなくなったり、土砂崩れにより倒壊、流出していることもあり、境界杭１を巡視してこれらを１本ずつ点検して行く場合に、境界杭１の場所が分からないことがある。また境界杭１を巡視して点検した場合、管理番号４を記録してくるが、実際に点検が行なわれたかどうか確認する手段がなかった。また送電線鉄塔にも管理番号などを記載した標識板が取付けられ、これら鉄塔を巡視点検した場合にも、点検した鉄塔の管理番号を記録してくるが、実際に点検が行なわれたかどうか確認することができなかった。また鉄塔の点検順路は、山道でほとんど一般の人が通らないため道が整備されておらず案内標識板もあるが、暗くなると案内標識板が見えにくくなり道に迷う危険があった。
【０００４】
【発明が解決しようとする課題】
本発明は上記欠点を除去し、境界杭の明示標識板などの位置表示プレートが草で覆われて見えないような場所でも、隣接する境界杭の明示標識板が分かれば、その二次元デジタルデーターコードを読み取ることにより、隣接する境界杭の方向や距離などその位置や管理データーを判別できると共に、読み取りデーターを記録することにより、実際に点検が行なわれたことを確認することができ、また巡視点検路の道案内や、点検や集配の確認などに広く適用でき、長期間の耐久性に優れた境界杭用位置表示プレートおよび方向指示板を提供するものである。
【０００５】
【課題を解決するための手段】
本発明の請求項１記載の境界杭用位置表示プレートは、独立気泡のプラスチックマットの両面に感圧型接着剤層を形成した感圧型接着シートの片面に黒色系のプラスチック板を介して白色系のプラスチック板を接着し、レーザー彫込み機で白色系のプラスチック板を彫り込んで、裏面の黒色系のプラスチック板を露出させ、文字を形成すると共に、この白色系のプラスチック板の表面に、境界杭の番号や位置情報などの境界杭に固有の情報を記録した管理データーをレーザー焼付加工により形成したドット状の明暗模様による二次元デジタルデーターコードで表示した表示面を形成したことを特徴とするものである。
【０００６】
本発明の境界杭用位置表示プレートは、境界杭に圧着して取付ける。感圧型接着シートは取付面に多少の凹凸があっても独立気泡のプラスチックマットが取付面に馴染んで全面接着することがで、しかも感圧型接着剤層は、圧着後、時間の経過と共に接着強度が向上する特性を有し、長期間に亘って高い接着強度を保持することができる。また境界杭用位置表示プレートは温度変化の激しい屋外に取付けられるが、取付面とプラスチック板との熱膨張差が大きくても、これを接続する感圧型接着シートのプラスチックマットが熱膨張差を吸収するのでプラスチック板の剥離を防止することができる。またプラスチックマットは独立気泡のプラスチックで形成されているのではっ水性に優れてここに雨水が浸入せず、雨水の凍結による剥離も防止できる。また文字やレーザー彫込み機で白色系のプラスチック板を彫り込んで、裏面の黒色系のプラスチック板を露出させ立体的に形成されているので長期間に亘って鮮明に表示することができる。
【０００７】
また表示面に形成した二次元デジタルデーターコードは、四角形状をなす枠の内側に、ドット状の明暗模様によるデジタルデーターを二次元的に表示したもので、縞状ストライプによるバーコードに比べて、単位面積当たりのデーター量が多く、多量の情報を表示することができる。このため作業者が境界杭用位置表示プレートを取付けた境界杭を巡視する場合、スキャナーを持って、境界杭用位置表示プレートに表示された二次元デジタルデーターコードを読み取ることにより、境界杭の番号や位置情報などの境界杭に固有の情報を記録した管理データーを現場で読み取ることができると共に点検の確認を行なうことができる。
【０００８】
請求項２記載の方向指示板は、請求項１の境界杭用位置表示プレートを前面に取付けた境界杭を、土地の境界に沿って複数個設置し、この境界杭の上面に取付ける方向指示板において、この方向指示板は、独立気泡のプラスチックマットの両面に感圧型接着剤層を形成した感圧型接着シートの片面に黒色系のプラスチック板を介して白色系のプラスチック板を接着し、レーザー彫込み機で白色系のプラスチック板を彫り込んで、裏面の黒色系のプラスチック板を露出させて、境界杭の番号と左右に隣接する境界杭の方向を示す方向指示線を形成したことを特徴とするものである。
【０００９】
境界杭の上面に取付けた方向指示板の方向指示線が、隣接する境界杭の方向に向けて形成され、また前面に取付けた境界杭用位置表示プレートには、境界杭の番号や位置情報などの境界杭に固有の情報が記録されているので、現地で境界標の巡視管理を行なう場合には、図面がなくても方向指示板の方向指示線により目視で確認することができる。また境界杭の番号と方向指示線は、白色のプラスチック板を彫り込んで立体的に形成されているので長期間に亘って鮮明に表示することができる。
【００１０】
【発明の実施の形態】
以下本発明の実施の一形態を図１ないし図４を参照して詳細に説明する。図１は明示標識板５の断面を示すものである。図において６は感圧型接着シートで、これは独立気泡のプラスチックマット７の両面に感圧型接着剤層８が形成されている。前記独立気泡のプラスチックマット７としては例えばアクリルフォームを用い、その厚さは０．５〜５mmの範囲が好ましい。
【００１１】
またプラスチックマット７の両側に設けた感圧型接着剤層８としては例えば合成ゴム系の接着剤で、金属やプラスチック、木材などに対して接着強度が高く、耐候性、絶縁性にも優れているものである。また感圧型接着シート６の背面側の感圧型接着剤層８には剥離紙９が取付けられ、前面側の感圧型接着剤層８には黒色のプラスチック板10を介して白色のプラスチック板11が接合されている。これら黒色のプラスチック板10と白色のプラスチック板11は、例えばＡＡＳ樹脂など耐候性、耐衝撃性、耐熱性などに優れた材料が用いられ、また白色のプラスチック板11は黒色のプラスチック板10より薄い板が用いられている。
【００１２】
前記白色のプラスチック板11の表面には表示面12が形成されている。この表示面12には、図３に示すようにレーザー彫込み機で白色のプラスチック板11を彫り込んで、裏面の黒色のプラスチック板10を露出させ、図２に示すように境界標13の文字と管理番号４、会社マーク14、および会社名15が形成されている。また表示面12にはレーザー焼付加工により二次元デジタルデーターコード16が立体的に形成されている。この二次元デジタルデーターコード16には、会社名や管理番号、境界杭１の位置座標、隣接する境界杭１の方向と距離、境界杭１の所在地の地番、地権者の住所、分筆年月日、埋設年月日などの境界杭に固有の情報が白色ドット部分17と黒色ドット部分18で形成された白黒模様で表示されている。
【００１３】
次に上記構成の明示標識板５を境界杭１に取付ける場合について説明する。先ず図４に示すように境界杭１の取付面に付着しているゴミや汚れを落としてから、下地プライマーを噴射してコンクリート表面を平滑にする。この後、明示標識板５の裏面の剥離紙９を剥して感圧型接着剤層８を露出させ、ここを境界杭１の取付面に圧着する。このとき感圧型接着シート６は取付面に多少の凹凸があっても独立気泡のプラスチックマット７が取付面に馴染んで全面接着することができる。しかも感圧型接着剤層８は、圧着後、時間の経過と共に接着強度が向上する特性を有し、長期間に亘って高い接着強度を保持することができる。
【００１４】
また明示標識板５は温度変化の激しい屋外の境界杭１に取付けられ、コンクリート製の境界杭１と黒色のプラスチック板10とはその熱膨張が異なり、特に夏期に黒色のプラスチック板10の熱膨張が大きいが、これを接続する感圧型接着シート６のプラスチックマット７が熱膨張差を吸収するので黒色のプラスチック板10の剥離を防止することができる。
【００１５】
またプラスチックマット７は独立気泡のプラスチックで形成されているので、はっ水性に優れてここに雨水が浸入せず、雨水の凍結による剥離も防止できる。
【００１６】
また作業者が境界杭１…を巡視点検する場合、携帯用のスキャナーを持って、所定の巡路に従って１本ずつ点検して行く。作業者はスキャナーで明示標識板５に表示された二次元デジタルデーターコード16を読み取って会社名15や管理番号14、境界杭１の位置座標、隣接する境界杭１の方向と距離、境界杭１の所在地の地番、地権者の住所、分筆年月日、埋設年月日などの位置データーや管理データーを記録することにより点検の確認を行なうことができる。また二次元デジタルデーターコード6 には、隣接する境界杭１の方向と距離が表示され、草で覆われて見えなくなったり、土砂崩れによ倒壊、流出している場合にも隣接する境界杭１の位置を確認することができる。
【００１７】
また二次元デジタルデーターコード16は、白色のプラスチック板11の表面にレーザー焼付加工により立体的に形成されているので耐久性に優れ、長期間に亘って鮮明に読み取ることができる。また二次元デジタルデーターコード16は、 360度どの方向からもスキャナーで読み取ることができ、コード6 の一部が破損したり汚れたりしていてもデーターを回復できる機能を有し、またデーターを暗号化ることにより情報を秘密裏に管理することができる。
【００１８】
また境界標13の文字と管理番号４、会社マーク14、および会社名15は、白色のプラスチック板11を彫り込んで、裏面の黒色のプラスチック板10を露出させて立体的に形成されているので、文字が鮮明に表示できると共に、白色のプラスチック板11の表面にゴミが付着したり汚れたりしても長期間に亘って読み取ることができる。
【００１９】
また湖畔などに境界杭１が設置されている場合は、船に乗って確認しているが、このように遠くに離れている場合や崖など危険なところに設置されている時には、テレビカメラで二次元デジタルデーターコード16を撮影して、ディスプレイ上に表示させ、これをスキャナーで読み取れば、危険な場所に近付かなくても離れた場所から安全に確認することもできる。
【００２０】
図５および図６は本発明の方向指示板21を示すもので、境界杭１ａの前面に感圧型接着シート６に接合した明示標識板５を取付け、境界杭１ａの上面に、感圧型接着シート６に接合された方向指示板21を取付けたものである。この場合、隣接する境界杭１ｂ、１ｃの管理用地図面上の位置関係は例えば図６に示すように示され、NO123 の境界杭１ａを中心に左右にNO 122とNO 124の境界杭１ｂ、１ｃがある場合、図面上は図かく線22に対して平行に境界杭１ａ、１ｂ、１ｃを描くことになっていると共に、現地でも図面に合わせて設置するようになっている。
【００２１】
従って、境界杭１ａを中心としてＮ極と前方の境界杭１ｂとの角度Ｆと距離を求めて、図５の明示標識板５の表示面12に、前方の境界杭１ｂとの角度と距離をＦ＝８１°ー３４ｍと表示する。同様に後方の境界杭１ｃについても図６から、境界杭１ａを中心としてＮ極と後方の境界杭１ｃとの角度Ｂと距離を求めて、図５の明示標識板５の表示面12に、後方の境界杭１ｃとの角度と距離をＢ＝２０６°ー５２ｍと表示する。また表示面12には、管理番号や、隣接する境界杭１ｂ、１ｃの方向と距離などの種々の情報が二次元デジタルデーターコード16で表示されている。
【００２２】
また境界杭１ａの上面に取付けた方向指示板21には管理番号４と図６の管理用地図面から左右に隣接する境界杭１ｂ、１ｃの方向を求めて、これと平行に方向指示線23、23が形成されている。この方向指示線23と管理番号４は図３と同様に、白色のプラスチック板11を彫刻マシーンで溝状に彫り込んで、裏側の黒色のプラスチック板10を露出させて形成されている。従って、境界杭１ａの上面に取付けた方向指示板21の方向指示線23、23が、隣接する境界杭１ｂ、１ｃの方向に向けて形成され、また前面に取付けた明示標識板５には、その角度と距離が数字で示されているので、現地で境界標の巡視管理を行なう場合には、図面がなくても目視で確認することができる。また方向指示線23と管理番号４は、白色のプラスチック板11を彫り込んで立体的に形成されているので長期間に亘って鮮明に表示することができる。
【００２３】
なお上記実施例では、暗色系のプラスチック板として黒色を用いたが、茶色や紺色、赤色などを用いても良く、また白色系のプラスチック板としては、白色に限らず薄く着色したものなどスキャナーが識別できる明暗差があれば良い。
【００２４】
【発明の効果】
以上説明した如く請求項１に係る境界杭用位置表示プレートによれば、感圧型接着シートの高い接着強度と、この中間に設けた独立気泡のプラスチックマットによる熱膨張差の吸収作用により、屋外において長期間の耐久性を保持することができる。文字をレーザー彫込み機で白色系のプラスチック板を彫り込んで、裏面の黒色系のプラスチック板を露出させ立体的に形成されているので長期間に亘って鮮明に表示することができる。
【００２５】
また表示面に境界杭の番号や位置情報などの境界杭に固有の情報が明暗模様による二次元デジタルデーターコードで形成してあるので、一次元バーコードに比べて多くの情報を表示でき、スキャナーによりその管理番号や隣接する境界杭の位置などの境界杭に固有の情報を読み取ることにより、点検や巡回の確認を行なうことができる。また二次元デジタルデーターコードをレーザー焼付加工で形成し、立体的な明暗模様が形成されているので、表面にゴミが付着したり汚れたりしても長期間に亘って鮮明に読み取ることができるなど種々の効果を有するものである。
【００２６】
また請求項２の方向指示板は、境界杭の上面などに取付け、管理番号と隣接する境界杭の方向を示す方向指示線が形成されているので、現地で境界標の巡視管理を行なう場合には、図面がなくても目視で確認することができる。また方向指示線と管理番号は、白色のプラスチック板を彫り込んで立体的に形成されているので長期間に亘って鮮明に表示することができる。
【図面の簡単な説明】
【図１】  本発明の実施の一形態による明示標識板を示す水平断面図である。
【図２】  図１に示す明示標識板を取付けた境界杭を示す正面図である。
【図３】  図１に示す明示標識板の管理番号と二次元デジタルデーターコード部分を拡大して示す水平断面図である。
【図４】  図２に示す明示標識板を取付けた境界杭を示す水平断面図である。
【図５】  本発明の他の実施の形態による明示標識板と方向指示板を取付けた境界杭の斜視図である。
【図６】  図５に示す境界杭の位置関係を示す管理用地図面である。
【図７】  従来の明示標識板を取付けた境界杭を示す斜視図である。
【符号の説明】
１    境界杭
２    明示標識板
３    白色のプラスチック板
４    管理番号
５    明示標識板
６    感圧型接着シート
７    プラスチックマット
８    感圧型接着剤層
９    剥離紙
10    黒色のプラスチック板
11    白色のプラスチック板
12    表示面
13    境界標
14    会社マーク
15    会社名
16    二次元デジタルデーターコード
17    白色ドット部分
18    黒色ドット部分
21    方向指示板
23    方向指示線
【図１】
0003777212.tif 000002
【図２】
0003777212.tif 000003
【図３】
0003777212.tif 000004
【図４】
0003777212.tif 000005
【図５】
0003777212.tif 000006
【図６】
0003777212.tif 000007
【図７】
0003777212.tif 000008